(57)【要約】  本出願発明は、相当な剛性及び側面抵抗性、そして極めて均一でありながらも周期的な重力に対する相当な抵抗性を備えた傾斜した壁の建設のための、ロッドとレンガシステムを提供する。このようなシステムのレンガは、壁を構成する隣接したレンガ間の水平方向及び垂直方向への相互噛合構成を可能にする水平方向及び垂直方向突出部及び空洞を備えたブロックである。レンガにはまたホールが穿孔され、壁を構成する垂直方向に隣接したレンガのホールと整列されることによって、壁の全体高さにわたって延びる連続したホールを形成する。システムのロッドは、レンガを貫いて壁の連続したホールを挿通する。このようなシステムによれば、ロッド骨組により補強されるレンガからなる傾斜した壁の建設が可能になり、このようにして建設される壁は擁壁用に適している。
2010501748.tif 000002
【特許請求の範囲】
【請求項１】
長さを定義する水平方向Ｘ−軸線、高さを定義する垂直方向Ｙ−軸線そして幅を定義する水平方向Ｚ−軸線の３つのデカルト座標Ｘ、Ｙ、Ｚにより定義される中実型ブロック形態の壁の建設のための直六面体レンガと、ロッドとからなるシステムであって、前記レンガは、
ａ．Ｘ−軸線及びＺ−軸線により定義される水平方向上面及び水平方向下面と、
ｂ．Ｚ−軸線及びＹ−軸線により定義される垂直方向前面及び垂直方向後面と、
ｃ．Ｘ−軸線及びＹ−軸線により定義される２つの垂直方向側面と、
ｄ．レンガの垂直方向前面上にＸ−軸線の方向に形成されており、前記水平方向上面と水平方向下面間の軸線がＹ−軸線に対して１゜〜４５゜範囲の傾斜角を有し、水平方向に隣接したブロックの下記項目“ｅ”に記載の空洞と正確に互いに噛み合うように構成される正の幾何学的形状の突出部と、
ｅ．レンガの垂直方向後面上にＸ−軸線の方向に形成されており、前記水平方向上面と水平方向下面間の軸線がＹ−軸線に対して１゜〜４５゜範囲の傾斜角を有し、水平方向に隣接したブロックの前記項目“ｄ”に記載の突出部と正確に互いに噛み合うように構成される負の幾何学的形状の空洞と、
ｆ．レンガの水平方向上面上にＹ−軸線に対して１゜〜４５゜範囲の傾斜角を持つ軸線方向に位置し、垂直方向に隣接したブロックの下記項目“ｇ”に記載の空洞と正確に互いに噛み合うように構成される正の幾何学的形状の２つの突出部と、
ｇ．水平方向下面上にＹ−軸線に対して１゜〜４５゜範囲の傾斜角を持つ軸線方向に対称的に位置し、垂直方向に隣接したブロックの前記項目“ｆ”に記載の突出部と正確に互いに噛み合うように構成される負の幾何学的形状の２つの空洞と、
ｈ．Ｙ−軸線に対して１゜〜４５゜範囲の傾斜角を持つ軸線方向への長さが、前記項目“ｆ”に記載の正の幾何学的形状の突出部の上縁から前記項目“ｇ”に記載の負の幾何学的形状の空洞の上縁までに定義される、レンガを完全に貫通する２つの円筒形ホールであって、これらホールと壁の垂直方向に隣接したレンガの同一ホールは、ホールの軸線が壁の傾斜角と一致する方向に整列されることによって、壁の全体高さにわたって延びる連続した傾斜ホールを形成し、また、前記ホールは、壁の全体高さにわたって延びる連続したホールをロッドが挿通できるようにロッドの直径にぴったり合う直径を持つ上記２つの円筒形ホールと、
を含み、
水平方向に及び垂直方向に隣接したレンガ間に抵抗性の相互噛合構成がなされることによって、複数本のロッドにより構成される骨組の導入を許容し、相当な剛性及び側面抵抗性、そして極めて均一でありながらも周期的な重力に対する相当な抵抗性を備えた構造をなし得る傾斜した壁を建造することを特徴とする、ロッドとレンガシステム。
【請求項２】
前記レンガは２つの追加ホールを含み、これら２つの追加ホールのうち第１ホールはレンガを完全に貫通する円筒形ホールであり、Ｙ−軸線に対して１゜〜４５゜範囲の傾斜角を持つ軸線方向への前記第１追加ホールの長さは、レンガの水平方向上面からレンガの水平方向下面までに定義され；また、前記第１追加ホールは請求項１の前記項目“ｈ”に記載の２つのホールとの間に並んで位置し；前記２つの追加ホールのうち第２ホールは、Ｙ−軸線に対して１゜〜４５゜範囲の傾斜角を持つ軸線方向に請求項１の前記項目“ｄ”に記載の突出部を完全に貫通する垂直方向円筒形ホールであり、前記第２追加ホールの長さは、前記突出部の水平方向上面の中心から前記突出部の水平方向下面の中心までに定義され；前記第１追加ホールと第２追加ホールは直径が同一であり、垂直方向に隣接したレンガの第１追加ホールと第２追加ホールは、ホールの軸線が壁の傾斜角と一致する方向に整列されることによって、壁の全体高さにわたって延びる連続した傾斜ホールを形成し；これら２つの追加ホールは壁の全体高さにわたって延びる連続したホールをロッドが挿通できるようにロッドの直径にぴったり合う直径を持つことを特徴とする、請求項１に記載のロッドとレンガシステム。
【請求項３】
前記ロッドの長さは、壁の高さと等しいか壁の高さを超え；また、ロッドは、壁の連続したホールを垂直方向に挿通することを特徴とする、請求項１に記載のロッドとレンガシステム。
【請求項４】
前記ロッドは、ロッド断片（fragment）を含む組立ロッド（composed rod）であって、それぞれのロッド断片の長さはレンガの高さの１．５倍であり、それぞれのロッド断片は第１部分、第２部分そして第３部分と定義される３つの部分で形成されており；これら３つの部分は正確に同一な長さを有し、それぞれの部分の長さはロッド断片の長さの１／３になり、前記第１部分はロッド断片の一端部に位置し；前記第１部分は内部にねじ山の刻まれた中空型で形成され、ロッド断片の雌ねじとして機能する部分を構成し；前記第２部分は、第１部分と第３部分との間のロッド断片の中間部を構成し；また、前記第２部分は中実型であり；前記第３部分は外部にねじ山の刻まれた中実型であり；前記第３部分は、第１部分により構成される端部の反対側端部に位置し；また、前記第３部分はロッド断片の雄ねじとして機能する部分であり；一ロッド断片の前記第１部分が他の同一ロッド断片の第３部分と互いに噛み合うこととなり、連続的に互いに噛み合っている複数本の同一ロッド断片によって組立ロッドが形成されることを特徴とする、請求項１に記載のロッドとレンガシステム。
【請求項５】
前記ロッドは、ロッド断片を含む組立ロッドであって、それぞれのロッド断片の長さはレンガの高さの１．５倍であり、それぞれのロッド断片は、第１部分、第２部分そして第３部分と定義される３つの部分で形成されており；これら３つの部分は正確に同一な長さを有し、それぞれの部分の長さがロッド断片の長さの１／３となり；前記第１部分はロッド断片の一端部に位置し；前記第１部分は、内径が第３部分の外径にぴったり合う中空型であり；また、前記第１部分はロッド断片の雌部であり、前記第２部分は第１部分と第３部分との間のロッド断片の中間部であり；前記第２部分は中実型であり；前記第３部分は、外径が第１部分の内径にぴったり合う中実型であり；前記第３部分は第１部分を構成する端部の反対側端部に位置し；また、前記第３部分はロッド断片の雄部であり；一ロッド断片の第１部分が他の同一ロッド断片の第３部分と互いに噛み合うこととなり、連続的に互いに噛み合っている複数本の同一ロッド断片によって組立ロッドが形成されることを特徴とする、請求項１に記載のロッドとレンガシステム。
【請求項６】
長さを定義する水平方向Ｘ−軸線、高さを定義する垂直方向Ｙ−軸線そして幅を定義する水平方向Ｚ−軸線の３つのデカルト座標Ｘ、Ｙ、Ｚにより定義される中実型ブロック形態の壁の建設のための直六面体レンガと、ロッドとからなるシステムであって、前記レンガは、
ａ．Ｘ−軸線及びＺ−軸線により定義される水平方向上面及び水平方向下面と、
ｂ．Ｚ−軸線及びＹ−軸線により定義される垂直方向前面及び垂直方向後面と、
ｃ．Ｘ−軸線及びＹ−軸線により定義される２つの垂直方向側面と、
ｄ．レンガの垂直方向前面の中間部上にＸ−軸線の方向に形成されており、水平方向に隣接したブロックの下記項目“ｅ”に記載の空洞と正確に互いに噛み合うように構成される正の幾何学的形状の突出部と、
ｅ．レンガの垂直方向後面の中間部上にＸ−軸線の方向に形成されており、水平方向に隣接したブロックの前記項目“ｄ”に記載の突出部と正確に互いに噛み合うように構成される負の幾何学的形状の空洞と、
ｆ．レンガの水平方向上面上にＹ−軸線方向に位置し、垂直方向に隣接したブロックの下記項目“ｇ”に記載の空洞と正確に互いに噛み合うように構成される正の幾何学的形状の２つの突出部と、
ｇ．水平方向下面上にＹ−軸線方向に位置し、垂直方向に隣接したブロックの前記項目“ｆ”に記載の突出部と正確に互いに噛み合うように構成される負の幾何学的形状の２つの空洞と、
ｈ．Ｙ−軸線に対して１゜〜４５゜範囲の傾斜角を持つ軸線方向への長さが、前記項目“ｆ”に記載の正の幾何学的形状の突出部の上縁から前記項目“ｇ”に記載の凹幾何学的形状の空洞の上縁までに定義される、レンガを完全に貫通する２つの円筒形ホールであって；これらホールと壁の垂直方向に隣接したレンガの同一ホールは、ホールの軸線が壁の傾斜角と一致する方向に整列されることによって壁の全体高さにわたって延びる連続した傾斜ホールを形成し；また、前記ホールは、壁の全体高さにわたって延びる連続したホールをロッドが挿通できるようにロッドの直径にぴったり合う直径を持つ上記２つの円筒形ホールと、
を含み、
水平方向に及び垂直方向に隣接したレンガ間に抵抗性の相互噛合構成がなされることによって、複数本のロッドにより構成される骨組の導入を許容し、相当な剛性及び側面抵抗性、そして極めて均一でありながらも周期的な重力に対する相当な抵抗性を備えた構造をなし得る壁を建造することを特徴とする、ロッドとレンガシステム。
【請求項７】
前記ロッドの長さは、壁の高さと等しいか壁の高さを超え；また、ロッドは、壁の連続したホールを垂直方向に挿通することを特徴とする、請求項６に記載のロッドとレンガシステム。
【請求項８】
前記ロッドはロッド断片を含む組立ロッドであって、それぞれのロッド断片の長さはレンガの高さの１．５倍であり、それぞれのロッド断片は、第１部分、第２部分そして第３部分と定義される３つの部分で形成されており；これら３つの部分は正確に同一な長さを有し、それぞれの部分の長さがロッド断片の長さの１／３となり；前記第１部分はロッド断片の一端部に位置し；また、前記第１部分はねじ山の刻まれた中空型で形成され、ロッド断片の雌ねじとして機能する部分を構成し；前記第２部分は、第１部分と第３部分との間のロッド断片の中間部を構成し；また、前記第２部分は中実型であり；前記第３部分は外部にねじ山の刻まれた中実型であり；前記第３部分は、第１部分により構成される端部の反対側端部に位置し；また、前記第３部分はロッド断片の雄ねじとして機能する部分であり；一ロッド断片の第１部分が他の同一ロッド断片の第３部分と互いに噛み合うこととなり、連続的に互いに噛み合っている複数本の同一ロッド断片により組立ロッドが形成されることを特徴とする、請求項６に記載のロッドとレンガシステム。
【請求項９】
前記ロッドは、ロッド断片を含む組立ロッドであって、それぞれのロッド断片の長さはレンガの高さの１．５倍であり、それぞれのロッド断片は、第１部分、第２部分そして第３部分と定義される３つの部分で形成されており；これら３つの部分は正確に同一な長さを有し、それぞれの部分の長さがロッド断片の長さの１／３となり；前記第１部分はロッド断片の一端部に位置し；前記第１部分は、内径が第３部分の外径にぴったり合う中空型であり；また、前記第１部分がロッド断片の雌部であり；前記第２部分は、第１部分と第３部分との間のロッド断片の中間部であり；また、前記第２部分は中実型であり；前記第３部分は、外径が第１部分の内径にぴったり合う中実型であり；前記第３部分は、第１部分を構成する端部の反対側端部に位置し；また、前記第３部分はロッド断片の雄部であり；一ロッド断片の第１部分が他の同一ロッド断片の第３部分と互いに噛み合うこととなり、連続的に互いに噛み合っている複数本の同一ロッド断片により組立ロッドが形成されることを特徴とする、請求項６に記載のロッドとレンガシステム。
【請求項１０】
長さを定義する水平方向Ｘ−軸線、高さを定義する垂直方向Ｙ−軸線そして幅を定義する水平方向Ｚ−軸線の３つのデカルト座標Ｘ、Ｙ、Ｚにより定義される中実型ブロック形態の壁の建設のための三次元立体レンガであって、
ａ．Ｘ−軸線及びＺ−軸線により定義される水平方向上面及び水平方向下面と、
ｂ．Ｚ−軸線及びＹ−軸線により定義される垂直方向前面及び垂直方向後面と、
ｃ．Ｘ−軸線及びＹ−軸線により定義される互いに平行な、凸表面としての第１垂直方向側面と凹表面としての第２垂直方向側面の２つの垂直方向側面と、
ｄ．レンガの垂直方向前面の中間部にＸ−軸線の方向に形成されており、水平方向に隣接したブロックの下記項目“ｅ”に記載の空洞と正確に互いに噛み合うように構成される正の幾何学的形状の突出部と、
ｅ．レンガの垂直方向後面の中間部にＸ−軸線の方向に形成されており、水平方向に隣接したブロックの前記項目“ｄ”に記載の突出部と正確に互いに噛み合うように構成される負の幾何学的形状の空洞と、
ｆ．レンガの水平方向上面の中間部にＹ−軸線方向に対称的に位置し、垂直方向に隣接したブロックの下記項目“ｇ”に記載の空洞と正確に互いに噛み合うように構成される正の幾何学的形状の２つの突出部と、
ｇ．水平方向下面の中間部にＹ−軸線方向に対称的に位置し、垂直方向に隣接したブロックの前記項目“ｆ”に記載の突出部と正確に互いに噛み合うように構成される負の幾何学的形状の２つの空洞と、
ｈ．Ｙ−軸線の方向への長さが前記項目“ｆ”に記載の正の幾何学的形状の突出部の上縁から前記項目“ｇ”に記載の負の幾何学的形状の空洞の上縁までに定義される、レンガを完全に貫通する２つの垂直方向円筒形ホールであって、これらホールと壁の垂直方向に隣接したレンガの同一ホールは壁の垂直軸線の方向に整列されることによって壁の全体高さにわたって延びる連続した垂直方向ホールを形成する上記２つの垂直方向円筒形ホールと、
を含み、
水平方向に及び垂直方向に隣接したレンガ間に抵抗性の相互噛合構成がなされることによって、相当な剛性及び側面抵抗性、そして極めて均一でありながらも周期的な重力に対する相当な抵抗性を備えた壁を建造することを特徴とする、三次元立体レンガ。
【請求項１１】
レンガを完全に貫通する２つの垂直方向円筒形ホールをさらに含み、Ｙ−軸線方向への前記ホールの長さは、請求項１０の前記項目“ｆ”に記載の正の幾何学的形状の突出部の上縁から請求項１０の前記項目“ｇ”に記載の負の幾何学的形状の上縁までに定義され；これらホールと垂直方向に隣接したブロックの同一ホールは壁の垂直軸線の方向に整列されることによって、壁の全体高さにわたって延びる連続した垂直ホールを形成し；また、前記ホールは、壁の全体高さにわたって延びる連続したホールをロッドが挿通できるように同一ロッドの直径にぴったり合う直径を有し；水平方向に及び垂直方向に隣接したレンガ間に抵抗性の相互噛合構成がなされることによって、複数本の垂直方向ロッドにより構成される骨組の導入を許容する壁を建造し；前記壁が相当な剛性及び側面抵抗性、そして極めて均一でありながらも周期的な重力に対する相当な抵抗性を備えた構造であることを特徴とする、請求項１０に記載の三次元立体レンガ。
【請求項１２】
２つの追加ホールを含み、これら２つの追加ホールのうち第１ホールは、レンガを完全に貫通する円筒形ホールで、Ｙ−軸線方向への前記第１追加ホールの長さはレンガの水平方向上面からレンガの水平方向下面までに定義され；また、第１追加ホールは、請求項１１に記載の２つのホールとの間に並んで位置し；前記２つの追加ホールのうち第２追加ホールは、垂直方向前面の前記突出部をＹ−軸線方向に完全に貫通する円筒形ホールで、この第２追加ホールの長さは、前記突出部の水平方向上面の中心から前記突出部の水平方向下面の中心までに定義され；前記第１追加ホールと第２追加ホールは、直径が同一であり、垂直方向に隣接したレンガの前記第１追加ホールと第２追加ホールが壁の垂直軸線の方向に整列されることによって、壁の全体高さにわたって延びる連続した垂直方向ホールを形成し；また、これら２つの追加ホールは、壁の全体高さにわたって延びる連続したホールをロッドが挿通できるように同一ロッドの直径にぴったり合う直径を有し；水平方向に及び垂直方向に隣接したレンガ間に抵抗性の相互噛合構成がなされることによって、複数本の垂直方向ロッドにより構成される骨組の導入を許容する壁を建造し；前記壁が相当な剛性及び側面抵抗性、そして極めて均一でありながらも周期的な重力に対する相当な抵抗性を備えた構造であることを特徴とする、請求項１１に記載の三次元立体レンガ。
【請求項１３】
前記垂直方向前面のＹ−軸線方向への両エッジ上の９０゜直角チャンネル；垂直方向後面のＹ−軸線方向への両エッジ上の９０゜直角チャンネル；水平方向上面のＸ−軸線方向への両エッジ上の９０゜直角チャンネル；そして、水平方向下面のＸ−軸線方向への両エッジ上の９０゜直角チャンネルを含むことを特徴とする、請求項１０に記載の三次元立体レンガ。
【発明の詳細な説明】
【技術分野】
【０００１】
本発明は、水平方向に及び垂直方向に互いに噛み合っているレンガからなる傾斜した壁の建設分野に関する。
【０００２】
本発明の分野では、接着剤またはモルタルの使用を減少させる目的で、水平方向に及び垂直方向に互いに噛み合う突出部と空洞を備えたレンガを用いて建設される壁が記述されてきた。水平方向に及び垂直方向に互いに噛み合う突出部と空洞を備えたレンガはまた、均一で且つ周期的な自然力に対して高度の側面抵抗性を持つ壁の建設を目的としても記述されてきた。しかし、接着剤またはモルタルを全く必要とせずに、相当な剛性及び側面抵抗性と共に極めて均一でありながらも周期的な重力に対する相当な抵抗性が得られる傾斜した壁の建設のためのレンガとロッドシステムについては開示されたことがない。
【背景技術】
【０００３】
従来、水平方向に及び垂直方向に互いに噛み合う突出部と空洞を備えたレンガを使用することによって接着剤またはモルタルの使用を減少させうる、均一でありながらも周期的な自然力に対する高度の抵抗性を有する壁の建設について述べられてきた。
【０００４】
より具体的に説明すると、ナナヤッカラ（Nanayakkara）による米国特許第６,５５０,２０８ Ｂ２号（２００３年４月２２日）、第６,１０５,３３０号（２０００年８月２２日）及び第６,５７８,３３８ Ｂ１号（２００３年６月１７日）には、モルタルの使用を減少させる水平方向及び垂直方向への相互噛合構成のシステムを備えることによって、均一でありながらも周期的な自然力に対する高度の側面抵抗性を備えた壁を構成できるレンガまたはブロックが開示されている。特に、米国特許第６,５５０,２０８ Ｂ２号には、相補的な正（positive）の幾何学的外形及び負（negative）の幾何学的外形、そして連続した垂直方向空洞を備えることによって、連続した垂直方向空洞を備えた壁の建設のための隣接したレンガ間の垂直方向及び水平方向相互噛合構成をなし得るレンガが開示されている。
【０００５】
上記したナナヤッカラの特許には、しかし、本発明によるロッドとレンガシステムで開示されているようなレンガまたはブロックは記述されていない。ナナヤッカラの特許に開示されたレンガまたはブロックは、傾斜した壁には適していない。また、ナナヤッカラは、壁を構成する水平方向に及び垂直方向に隣接したレンガの突出部及び空洞により形成される相互噛合構成を補強する機能を担うロッドの直径に特に合うようにした穿孔部またはホールを備えたレンガについては記述していない。
【０００６】
本発明の発明者は、本明細書にその全体内容が参照として引用されているコロンビア特許出願第０６−０４９２３４号（２００６年５月２３日）において、壁を構成する水平方向に及び垂直方向に隣接したレンガの突出部及び空洞により形成される相互噛合構成を補強する機能を担うロッドの直径に特に合うにした穿孔部またはホールを持つレンガを開示したことがある。
【先行技術文献】
【特許文献】
【０００７】
【特許文献１】米国特許第６,５５０,２０８ Ｂ２号
【特許文献２】米国特許第６,１０５,３３０号
【特許文献３】米国特許第６,５７８,３３８ Ｂ１号
【特許文献４】コロンビア特許出願第０６−０４９２３４号
【発明の概要】
【発明が解決しようとする課題】
【０００８】
しかし、前述した従来技術においても、傾斜した壁の建設を可能にするロッドとレンガシステムについては述べていない。本発明によるロッドとレンガシステムによると、例えば、相当な剛性及び側面抵抗性そして極めて均一でありながらも周期的な重力に対する相当な抵抗性を持つ擁壁のような傾斜した壁の建設が可能になる。
【課題を解決するための手段】
【０００９】
本発明は、長さを定義する水平方向Ｘ−軸線、高さを定義する垂直方向Ｙ−軸線そして幅を定義する水平方向Ｚ−軸線の３つのデカルト座標Ｘ、Ｙ、Ｚにより定義される中実型ブロック形態の壁建造用直六面体レンガと、ロッドとからなるシステムであって、前記レンガは、
ａ．Ｘ−軸線及びＺ−軸線により定義される水平方向上面及び水平方向下面と、
ｂ．Ｚ−軸線及びＹ−軸線により定義される垂直方向前面及び垂直方向後面と、
ｃ．Ｘ−軸線及びＹ−軸線により定義される２つの垂直方向側面と、
ｄ．レンガの垂直方向前面上にＸ−軸線の方向に形成されており、前記水平方向上面と水平方向下面間の軸線がＹ−軸線に対して１゜〜４５゜範囲の傾斜角を有し、水平方向に隣接したブロックの下記項目“ｅ”に記載の空洞と正確に互いに噛み合うように構成される正の幾何学的形状の突出部と、
ｅ．レンガの垂直方向後面上にＸ−軸線の方向に形成されており、前記水平方向上面と水平方向下面間の軸線がＹ−軸線に対して１゜〜４５゜範囲の傾斜角を有し、水平方向に隣接したブロックの前記項目“ｄ”に記載の突出部と正確に互いに噛み合うように構成される負の幾何学的形状の空洞と、
ｆ．レンガの水平方向上面上にＹ−軸線に対して１゜〜４５゜範囲の傾斜角を持つ軸線方向に位置し、垂直方向に隣接したブロックの下記項目“ｇ”に記載の空洞と正確に互いに噛み合うように構成される正の幾何学的形状の２つの突出部と、
ｇ．水平方向下面上にＹ−軸線に対して１゜〜４５゜範囲の傾斜角を持つ軸線方向に対称的に位置し、垂直方向に隣接したブロックの前記項目“ｆ”に記載の突出部と正確に互いに噛み合うように構成される負の幾何学的形状の２つの空洞と、
ｈ．Ｙ−軸線に対して１゜〜４５゜範囲の傾斜角を持つ軸線方向への長さが、前記項目“ｆ”に記載の正の幾何学的形状の突出部の上縁から前記項目“ｇ”に記載の負の幾何学的形状の空洞の上縁までに定義される、レンガを完全に貫通する２つの円筒形ホールで、これらホールと壁の垂直方向に隣接したレンガの同一ホールは、ホールの軸線が壁の傾斜角と一致する方向に整列されることによって壁の全体高さにわたって延びる連続した傾斜ホールを形成し、また、壁の全体高さにわたって延びる連続したホールをロッドが挿通できるようにロッドの直径にぴったり合う直径を持つ上記２つの円筒形ホールと、を含み、
水平方向に及び垂直方向に隣接したレンガ間に抵抗性の相互噛合構成がなされることによって、複数本のロッドにより構成される骨組の導入を許容し、相当な剛性及び側面抵抗性、そして極めて均一でありながらも周期的な重力に対する相当な抵抗性を備えた構造をなし得る傾斜した壁を建造することを特徴とするレンガとロッドシステムを提供する。
【００１０】
本発明の他の一態様において、前記レンガは２つの追加ホールを含み、これら２つの追加ホールのうち第１ホールは、レンガを完全に貫通する円筒形ホールであり、Ｙ−軸線に対して１゜〜４５゜範囲の傾斜角を持つ軸線方向への前記第１追加ホールの長さは、レンガの水平方向上面からレンガの水平方向下面までに定義され；前記第１追加ホールは、前記項目“ｈ”に記載の２つのホールとの間に並んで位置し；２つの追加ホールのうち第２ホールは、Ｙ−軸線に対して１゜〜４５゜範囲の傾斜角を持つ軸線方向に前記項目“ｄ”に記載の突出部を完全に貫通する垂直方向円筒形ホールであり、前記第２追加ホールの長さは、前記突出部の水平方向上面の中心から前記突出部の水平方向下面の中心までに定義され；前記第１追加ホールと第２追加ホールは直径が同一であり、垂直方向に隣接したレンガの第１追加ホールと第２追加ホールは、ホールの軸線が壁の傾斜角と一致する方向に整列され、壁の全体高さにわたって延びる連続した傾斜ホールを形成し；これら２つの追加ホールは、壁の全体高さにわたって延びる連続したホールをロッドが挿通できるようにロッドの直径にぴったり合う直径を持つ。
【００１１】
本発明のさらに他の態様によるシステムにおいては、前記ロッドの長さが壁の高さと等しいか壁の高さを超え；また、ロッドは、壁の連続したホールを垂直方向に挿通することを特徴とする。
【００１２】
本発明のさらに他の態様によるシステムにおいては、前記ロッドがロッド断片（fragment）を含む組立ロッドで、それぞれのロッド断片の長さはレンガの高さの１．５倍であり、それぞれのロッド断片は、第１部分、第２部分そして第３部分と定義される３つの部分で形成されており；これら３つの部分は正確に同一な長さを有し、それぞれの部分の長さがロッド断片の長さの１／３となり；前記第１部分はロッド断片の一端部に位置し；また、前記第１部分は内部ねじ山の刻まれた中空型で形成され、ロッド断片の雌ねじとして機能する部分を構成し、前記第２部分は、第１部分と第３部分間のロッド断片の中間部であり；また、前記第２部分は中実型であり；前記第３部分は外部にねじ山の刻まれた中実型であり；前記第３部分は、第１部分により構成される端部の反対側端部に位置し；また、前記第３部分はロッド断片の雄ねじとして機能する部分であり；一ロッド断片の第１部分が他の同一ロッド断片の第３部分と互いに噛み合い、連続的に互いに噛み合っている複数本の同一ロッド断片によって組立ロッドが形成されることを特徴とする。
【００１３】
本発明のさらに他の態様によるシステムにおいては、前記ロッドがロッド断片を含む組立ロッドで、それぞれのロッド断片の長さはレンガの高さの１．５倍であり、それぞれのロッド断片は第１部分、第２部分そして第３部分と定義される３つの部分で形成されており；これら３つの部分は正確に同一な長さを有し、それぞれの部分の長さがロッド断片の長さの１／３となり；前記第１部分はロッド断片の一端部に位置し；前記第１部分は、内径が第３部分の外径にぴったり合う中空型であり；また、前記第１部分はロッド断片の雌部であり；前記第２部分は、第１部分と第３部分との間のロッド断片の中間部であり；また、前記第２部分は中実型であり；前記第３部分は、外径が第１部分の内径にぴったり合う中実型であり；前記第３部分は、第１部分を構成する端部の反対側端部に位置するロッド断片の雄部であり；一ロッド断片の第１部分が他の同一ロッド断片の第３部分と互いに噛み合い、連続的に互いに噛み合っている複数本の同一ロッド断片によって組立ロッドが形成されることを特徴とする。
【００１４】
本発明の第２バージョンにおいて、前記レンガは、レンガの垂直方向前面の中間部にＸ−軸線方向に形成される正の幾何学的形状の対称形突出部を特徴とし、前記突出部は、水平方向に隣接したブロックの垂直方向後面の空洞と正確に互いに噛み合う。
【００１５】
本発明の第２バージョンの他の態様において、前記レンガは、レンガの垂直方向後面の中間部にＸ−軸線方向に形成される負の幾何学的形状の対称形空洞を特徴とし、前記空洞は、水平方向に隣接したブロックのレンガの垂直方向前面の突出部と正確に互いに噛み合う。
【００１６】
本発明の第２バージョンのさらに他の態様において、前記レンガは、レンガの水平方向上面上にＹ−軸線方向に位置した正の幾何学的形状の２つの突出部を特徴とし、前記突出部は、垂直方向に隣接したブロックの水平方向下面の空洞と正確に互いに噛み合う。
【００１７】
本発明の第２バージョンのさらに他の態様において、前記レンガは、水平方向下面上にＹ−軸線方向に位置した負の幾何学的形状の２つの空洞を特徴とし、前記空洞は、垂直方向に隣接したブロックのレンガの水平方向上面の突出部と正確に互いに噛み合う。
【００１８】
本発明の第２バージョンのさらに他の態様において、前記レンガは、レンガを完全に貫通する２つの円筒形ホールを特徴とし、Ｙ−軸線に対して１゜〜４５゜範囲の傾斜角を持つ軸線方向への前記ホールの長さは、水平方向上面の正の幾何学的形状の突出部の上縁から水平方向下面の負の幾何学的形状の空洞の上縁までに定義され；これらホールと壁の垂直方向に隣接したレンガの同一ホールは、ホールの軸線が壁の傾斜角と一致する方向に整列され、壁の全体高さにわたって延びる連続した傾斜ホールを形成し；また、前記ホールは壁の全体高さにわたって延びる連続したホールをロッドが挿通できるようにロッドの直径にぴったり合う直径を持つ。
【００１９】
また、水平方向に及び垂直方向に隣接したレンガ間に抵抗性の相互噛合構成がなされることによって、複数本のロッドにより構成される骨組の導入を許容し、相当な剛性及び側面抵抗性、そして極めて均一でありながらも周期的な重力に対する相当な抵抗性を備えた構造をなし得る壁を建造できる。
【００２０】
本発明の第３バージョンにおいて、前記レンガは、Ｘ−軸線及びＹ−軸線により画定される２つの垂直方向側面を特徴とする壁の建造用立体ブロックで、第１垂直方向側面は凸表面であり；第２垂直方向側面は凹表面であり；前記第１側面及び第２側面は互いに平行である。
【００２１】
本発明の第３バージョンの一態様において、前記レンガは、レンガの垂直方向前面の中間部にＸ−軸線方向に形成される正の幾何学的形状の対称形突出部を特徴とし、前記突出部は水平方向に隣接したブロックの垂直方向後面の空洞と正確に互いに噛み合う。
【００２２】
本発明の第３バージョンの他の態様において、前記レンガは、レンガの垂直方向後面の中間部にＸ−軸線方向に形成される負の幾何学的形状の空洞を特徴とし、前記空洞は水平方向に隣接したレンガの垂直方向前面の突出部と正確に互いに噛み合う。
【００２３】
本発明の第３バージョンのさらに他の態様において、前記レンガは、レンガの水平方向上面の中間部にＹ−軸線方向に対称形に位置した正の幾何学的形状の２つの突出部を特徴とし、前記突出部は、垂直方向に隣接したブロックの水平方向下面の空洞と正確に互いに噛み合う。
【００２４】
本発明の第３バージョンのさらに他の態様において、前記レンガは、水平方向下面の中間部にＹ−軸線方向に対称的に位置した負の幾何学的形状の２つの空洞を特徴とし、前記空洞は、垂直方向に隣接したブロックの水平方向上面の突出部と正確に互いに噛み合う。
【００２５】
本発明の第３バージョンのさらに他の態様において、前記レンガは、レンガを完全に貫通する２つの垂直方向円筒形ホールを特徴とし、Ｙ−軸線方向への前記ホールの長さは、水平方向上面上の正の幾何学的形状の突出部の上縁から水平方向下面上の負の幾何学的形状の空洞の上縁までに定義され；これらホールと壁の垂直方向に隣接したレンガの同一ホールは壁の垂直軸線の方向に整列され、壁の全体高さにわたって延びる連続した垂直方向ホールを形成する。
【００２６】
また、相当な剛性及び側面抵抗性そして極めて均一でありながらも周期的な重力に対する相当な抵抗性を備えた壁を建造するために水平方向に及び垂直方向に隣接したレンガ間に抵抗性の相互噛合構成がなされる。
【００２７】
本発明の第３バージョンのさらに他の態様において、前記レンガは、レンガを完全に貫通する２つの垂直方向円筒形ホールを特徴とし、Ｙ−軸線方向への前記ホールの長さは、水平方向上面上の正の幾何学的形状の突出部の上縁から水平方向下面上の負の幾何学的形状の空洞の上縁までに定義され；これらホールと壁の垂直方向に隣接したレンガの同一ホールは壁の垂直軸線の方向に整列されることによって、壁の全体高さにわたって延びる連続した垂直方向ホールを形成し、また、前記ホールは壁の全体高さにわたって延びる連続したホールをロッドが挿通できるように同一ロッドの直径にぴったり合う直径を有し；水平方向に及び垂直方向に隣接したレンガ間に抵抗性の相互噛合構成がなされ、複数本の垂直方向ロッドにより構成される骨組の導入を許容する壁を建造でき；前記壁は、相当な剛性及び側面抵抗性そして極めて均一でありながらも周期的な重力に対する相当な抵抗性を備えた構造である。
【００２８】
本発明の第３バージョンのさらに他の態様において、前記レンガは、２つの追加ホールを特徴とし、これら２つの追加ホールのうち第１ホールはレンガを完全に貫通する円筒形ホールで、Ｙ−軸線の方向への前記第１追加ホールの長さは、レンガの水平方向上面からレンガの水平方向下面までに定義され；また、前記第１追加ホールは水平方向上面の突出部から水平方向下面の空洞まで延長する２つのホールとの間に並んで位置し；２つの追加ホールのうち第２ホールは、Ｙ−軸線の方向に垂直方向前方壁の突出部を完全に貫通する垂直方向円筒形ホールで、前記第２追加ホールの長さは、垂直方向前方壁の突出部の水平方向上面の中心から垂直方向前方壁の突出部の水平方向下面の中心までに定義され；前記第１追加ホールと第２追加ホールは直径が同一であり、垂直方向に隣接したレンガの第１追加ホールと第２追加ホールは壁の垂直軸線の方向に整列されることによって、壁の全体高さにわたって延びる連続した垂直方向ホールを形成し；これら２つの追加ホールは、壁の全体高さにわたって延びる連続したホールをロッドが挿通できるように、同一ロッドの直径にぴったり合う直径を有し；水平方向に及び垂直方向に隣接したレンガ間に抵抗性の相互噛合構成がなされることによって、複数本の垂直方向ロッドにより構成される骨組の導入を許容する壁を建造でき；前記壁は、相当な剛性及び側面抵抗性、そして極めて均一でありながらも周期的な重力に対する相当な抵抗性を備えた構造である。
【００２９】
本発明の第３バージョンのさらに他の態様において、前記レンガは、垂直方向前面のＹ−軸線方向への両エッジ上の９０゜直角チャンネル；垂直方向後面のＹ−軸線方向への両エッジ上の９０゜直角チャンネル；水平方向上面のＸ−軸線方向への両エッジ上の９０゜直角チャンネル；そして、水平方向下面のＸ−軸線方向への両エッジ上の９０゜直角チャンネルを特徴とする。
【００３０】
本発明の目的及びその他追加的な長所が、図面の説明、本発明の詳細な説明そして請求の範囲からより明確になる。
【図面の簡単な説明】
【００３１】
【図１】本発明のレンガの一実施例の三次元図である。
【図２】垂直方向に及び水平方向に互いに噛み合っているレンガを示す、本発明のレンガの一実施例の三次元図である。
【図３】レンガの傾斜したホールの中線を示す、本発明のレンガの二次元平面図である。
【図４】本発明のレンガの２つの実施例の三次元図である。
【図５】本発明のレンガの２つの実施例の三次元図である。
【図６】本発明のレンガの一実施例の三次元図である。
【図７】垂直方向に及び水平方向に互いに噛み合っているレンガを示す、本発明のレンガの一実施例の三次元図である。
【図７ａ】垂直方向に及び水平方向に互いに噛み合っているレンガと、壁の高さを貫いて延びるロッド、そしてロッドに付着され、壁を固定させる機能をするケーブルを示す、本発明のレンガの一実施例の三次元図である。
【図８】本発明のレンガの２つの実施例の三次元図である。
【図９】本発明のレンガの２つの実施例の三次元図である。
【図１０】本発明の第２バージョンのレンガの三次元図である。
【図１１】垂直方向に及び水平方向に互いに噛み合っているレンガを示す、本発明の第２バージョンのレンガの三次元図である。
【図１２】レンガの傾斜したホールの中線を示す、本発明の第２バージョンのレンガの二次元平面図である。
【図１３】本発明の第２バージョンのレンガの２つの実施例の三次元図である。
【図１４】本発明の第２バージョンのレンガの２つの実施例の三次元図である。
【図１５】レンガの傾斜したホールの中線が示されており、また、本発明のロッド断片の３つのバージョンが立体図で示されている、本発明の第１バージョン及び第２バージョンのロッドとレンガシステムの二次元平面図である。
【図１６】連続した傾斜ホールを貫通して延長するロッドにより垂直方向に互いに噛み合っている３つのレンガを示す、本発明の第１バージョン及び第２バージョンのロッドとレンガシステムの二次元平面図である。
【図１７】本発明の第３バージョンのレンガの２つの実施例の三次元図である。
【図１８】本発明の第３バージョンのレンガの２つの実施例の三次元図である。
【図１９】本発明の第３バージョンによって建造される壁の横断面を示す二次元平面図である。
【図２０】本発明の第３バージョンのレンガの水平方向下面上の空洞のうち一つと水平方向上面上の突出部のうち一つの横断面を示す二次元平面図である。
【発明を実施するための形態】
【００３２】
図１は、本発明のレンガの一実施例の三次元図である。レンガは、図４に示すように、三個のデカルト座標Ｘ、Ｙ、Ｚにより定義され、ここで、水平方向Ｘ−軸線は長さ、垂直方向Ｙ−軸線は高さ、水平方向Ｚ−軸線は幅をそれぞれ定義している。
【００３３】
このようなレンガは、水平方向上面１（図１及び図３）、水平方向下面２（図３）、垂直方向前面３（図１）、垂直方向後面４（図１）、そして２つの垂直方向側面５（図１及び図３）を備える。
【００３４】
図１に示す本発明の第１バージョンによれば、正の幾何学的形状の突出部６がレンガの垂直方向前面３上にＸ−軸線方向に形成されており、水平方向上面と水平方向下面間の突出部の軸線は、Ｙ−軸線に対して１゜〜４５゜範囲の傾斜角を持つ。また、突出部は、水平方向に隣接したブロックの垂直方向後面４の空洞８と正確に互いに噛み合うように構成されている。
【００３５】
突出部の正の幾何学的形状は、適当な幾何学的形状のいずれか一つとすれば良い。好ましい正の幾何学的形状を説明すると、図１に示すように、丸い凸幾何学的形状の突出部６がレンガの垂直方向前面３上にＸ−軸線方向に形成されており、水平方向上面と水平方向下面間の突出部の軸線はＹ−軸線に対して１゜〜４５゜範囲の傾斜角を持つ。また、突出部は、水平方向に隣接したブロックの垂直方向後面４の空洞８と正確に互いに噛み合うように構成されている。Ｚ−軸線と同じ方向に定義される、レンガの垂直方向前面３内の突出部の基部９の幅は、凸幾何学的形状の突出部６の最大径１０よりも短い。
【００３６】
図１にはまた、負の幾何学的形状の空洞８が示されている。この空洞８は、レンガの垂直方向後面４上にＸ−軸線方向に形成されており、水平方向上面１と水平方向下面２（図３）間の空洞の軸線はＹ−軸線に対して１゜〜４５゜範囲の傾斜角を持つ。空洞８は、水平方向に隣接したブロックの垂直方向前面３の突出部６と正確に互いに噛み合うように構成されている。
【００３７】
空洞８の負の幾何学的形状は、適当な幾何学的形状のいずれか一つとすれば良い。好ましい負の幾何学的形状を説明すると、図１に示すように、凹幾何学的形状の空洞８がレンガの垂直方向後面４上にＸ−軸線方向に形成され、水平方向上面１と水平方向下面２間の空洞の軸線はＹ−軸線に対して１゜〜４５゜範囲の傾斜角を持つ。また、空洞８は、水平方向に隣接したブロックの垂直方向前面３の突出部６と正確に互いに噛み合うように構成されている。Ｚ−軸線と同じ方向に定義される、レンガの垂直方向後面４上の空洞８の開口１１の幅は凹幾何学的形状の空洞８の最大径１２より小さい。
【００３８】
図１にはまた、レンガの水平方向上面１上にＹ−軸線に対して１゜〜４５゜範囲の傾斜角１４（図３）を持つ軸線方向に位置する正の幾何学的形状の２つの突出部１３が示されている。突出部１３は、垂直方向に隣接したブロックの水平方向下面２の空洞１７（図３）と正確に互いに噛み合うように構成されている。
【００３９】
突出部１３の正の幾何学的形状は、適当な幾何学的形状のいずれか一つとすれば良い。好ましい正の幾何学的形状を説明すると、図１に示すように、円筒形の凸幾何学的形状の２つの突出部１３が、その軸線がＹ−軸線に対して１゜〜４５゜範囲の傾斜角１４を持つ方向にレンガの水平方向上面１上に位置している。これらの突出部１３は、垂直方向に隣接したブロックの水平方向下面２の空洞１７と正確に互いに噛み合うように構成されている。また、レンガの水平方向上面１上のそれぞれの突出部１３の基部の直径１５（図３）は、突出部１３の円筒形部分の直径１６（図３）と同一である。
【００４０】
図３にはまた、Ｙ−軸線に対して１゜〜４５゜範囲の傾斜角１４を持つ軸線方向に水平方向下面２上に対称的に位置する負の幾何学的形状の２つの空洞１７が示されている。空洞１７は、垂直方向に隣接したブロックの水平方向上面１の突出部１３と正確に互いに噛み合うように構成されている。
【００４１】
空洞１７の負の幾何学的形状は、適当な幾何学的形状のいずれか一つとすれば良い。好ましい負の幾何学的形状を説明すると、図３に示すように、円筒形の凹幾何学的形状の空洞１７が、その軸線がＹ−軸線に対して１゜〜４５゜範囲の傾斜角１４を持つ方向にレンガの水平方向下面２上に対称的に位置している。空洞１７は、垂直方向に隣接したブロックの水平方向上面１の突出部１３と正確に互いに噛み合うように構成されている。また、レンガの水平方向下面２上のそれぞれの空洞１７の開口の直径１８は、空洞１７の円筒形部分の直径１９と同一である。
【００４２】
図１及び図３には、レンガを完全に貫通する２つの円筒形ホール２０が示されている。Ｙ−軸線に対して１゜〜４５゜範囲の傾斜角１４（図３）を持つ軸線方向へのホール２０の長さは、水平方向上面１の正の幾何学的形状の突出部１３の上縁２１（図３）から水平方向下面の負の幾何学的形状の空洞１７の上縁２２（図３）までに定義される。これらのホール２０と壁の垂直方向に隣接したレンガの同一ホール２０（図３）は、ホールの軸線が壁の傾斜角と一致する方向に整列されることによって、壁の全体高さにわたって延びる連続した傾斜ホールを形成する。ホールは、壁の全体高さにわたって延びる連続したホールをロッドが挿通できるようにロッド径にぴったり合う直径とする。また、水平方向に及び垂直方向に隣接したレンガ間に抵抗性の相互噛合構成がなされることによって複数本のロッドにより構成される骨組の導入を許容し、相当な剛性及び側面抵抗性、そして極めて均一でありながらも周期的な重力に対する相当な抵抗性を備えた構造をなし得る傾斜した壁を建造することができる。
【００４３】
図６には、２つの追加ホール２３が示されている。これらの２つの追加ホール２３のうち第１ホールは、レンガを完全に貫通する円筒形ホールで、Ｙ−軸線に対して１゜〜４５゜範囲の傾斜角１４（図３）を持つ軸線方向への第１追加ホール２３の長さは、レンガの水平方向上面１からレンガの水平方向下面２までに定義される。第１追加ホール２３は、水平方向上面１の突出部１３から水平方向下面２の空洞まで延びる２つのホール２０との間に並んで位置している。追加ホール２３のうち第２ホールは、Ｙ−軸線に対して１゜〜４５゜範囲の傾斜角を持つ軸線方向に垂直方向前面３の突出部６を完全に貫通する垂直方向円筒形ホールである。この第２追加ホール２３の長さは、突出部６の水平方向上面１の中心から突出部６の水平方向下面２の中心までに定義される。
【００４４】
第１追加ホール２３と第２追加ホール２３は同じ直径を有し、垂直方向に隣接したレンガの第１追加ホール２３と第２追加ホール２３は、ホールの軸線が壁の傾斜角と一致する方向に整列され、壁の全体高さにわたって延びる連続した傾斜ホールを形成する。これら２つの追加ホールは、壁の全体高さにわたって延びる連続したホールをロッドが挿通できるようにロッド径にぴったり合う直径とする。
【００４５】
図１６には、本発明のロッド２４が示されている。同図に示すように、ロッド２４の長さは壁の高さと同一にしたり壁の高さを越えるようにし、このようなロッド２４は壁の連続したホールに挿通される。
【００４６】
本発明のロッド２４はまた、図７ａに示すようにケーブルを用いて壁を固定させるように使用されることができる。この場合に、ケーブル６６は、２つの垂直方向に隣接したレンガ間にアダプタ（adapter）６７を設け、また、アダプタは壁に保持される相異なる機構を備えることができる。このようなアダプタはＴ字形の終結構成（termination）により壁の外部に保持されることができる。アダプタはまた、水平方向上面の突出部のうち一つにぴったり合うオリフィス（orifice）により壁に保持されても良い。好ましい一実施例において、アダプタ６７は、ロッド２４の直径にぴったり合うホールを有する。
【００４７】
ロッド２４は、一つ以上のロッド断片（fragment）により形成される組立ロッド（composed rod）にすることができる。本発明の好ましいバージョンの一つが図１５に示されている。図１５に示すロッド断片２６において、それぞれのロッド断片の長さはレンガ高さの１．５倍であり、それぞれのロッド断片は第１部分２６Ａ、第２部分２６Ｂ、そして第３部分２６Ｃと定義される３つの部分で形成されている。これら３つの部分はいずれも同一な長さとし、それぞれの部分の長さはロッド断片の全長の１／３となる。第１部分２６Ａは、ロッド断片の一端部に位置する。この第１部分２６Ａは内部にねじ山の刻まれている中空型の部分で、ロッド断片の雌ねじとして機能することとなる。第２部分２６Ｂは、第１部分２６Ａと第３部分２６Ｃとの間のロッド断片の中間部を構成する。この第２部分２６Ｂは中実型とされている。第３部分２６Ｃは、外部にねじ山の刻まれている中実型の部分である。この第３部分２６Ｃは、第１部分２６Ａにより構成される端部の反対側端部に位置する。このような第３部分２６Ｃは、ロッド断片の雄ねじとして機能する部分である。第１部分２６Ａが他の同一ロッド断片の第３部分２６Ｃに互いに噛み合うこととなり、このようにして連続して互いに噛み合っている複数本の同一ロッド断片により組立ロッド２４（図１６）が形成される。
【００４８】
図１５にはまた、ロッド断片２５が示されている。それぞれのロッド断片の長さはレンガの高さの１．５倍であり、それぞれのロッド断片は、第１部分２５Ａ、第２部分２５Ｂ、そして第３部分２５Ｃと定義される３つの部分で形成されている。これら３個の部分はいずれも同一な長さとし、それぞれの部分の長さはロッド断片の全長の１／３となる。第１部分２５Ａはロッド断片の一端部に位置する。この第１部分２５Ａは、内径が第３部分２５Ｃの外径にぴったり合う中空型とする。このような第１部分２５Ａがロッド断片の雌部となる。第２部分２５Ｂは、第１部分２５Ａと第３部分２５Ｃとの間のロッド断片の中間部を構成する。この第２部分２５Ｂは中実型とする。第３部分２５Ｃは、外径が第１部分２５Ａの内径にぴったり合う中実型とする。この第３部分２５Ｃは、第１部分２５Ａにより構成される端部の反対側端部に位置する。このような第３部分２５Ｃがロッド断片の雄部として機能する。第１部分２５Ａが他の同一ロッド断片の第３部分２５Ｃに互いに噛み合うこととなり、このようにして連続して互いに噛み合っている複数本の同一ロッド断片により組立ロッド２４（図１６）が形成される。
【００４９】
図１０には、本発明の第２バージョンが示されている。本発明の第２バージョンのレンガは、レンガの垂直方向前面３の中間部上にＸ−軸線方向に形成されている正の幾何学的形状の突出部２７を特徴とし、突出部２７は、水平方向に隣接したレンガの垂直方向後面４の空洞２８と正確に互いに噛み合うように構成されている。
【００５０】
突出部２７の正の幾何学的形状は、適当な幾何学的形状のいずれか一つとすれば良い。好ましい正の幾何学的形状を説明すると、図１０に示すように、丸い凸幾何学的形状の突出部２７がレンガの垂直方向前面３の中間部上にＸ−軸線方向に形成されており、また、突出部２７は、水平方向に隣接したブロックの垂直方向後面４の空洞２８と正確に互いに噛み合うように構成されている。また、Ｚ−軸線と同じ方向に定義される、レンガの垂直方向前面３の突出部の基部９の幅は、凸幾何学的形状の突出部２７の最大径３０より短い。
【００５１】
図１０にはまた、本発明の第２バージョンの他の態様が示されている。本態様のレンガは、レンガの垂直方向後面４の中間部にＸ−軸線方向に形成されている負の幾何学的形状の対称形空洞２８を特徴とし、空洞２８は、水平方向に隣接したレンガの垂直方向前面３の突出部２７と正確に互いに噛み合うように構成されている。
【００５２】
空洞２８の負の幾何学的形状は、適当な幾何学的形状のいずれか一つとすれば良い。好ましい負の幾何学的形状を説明すると、図１０に示すように、凹幾何学的形状の対称形空洞２８がレンガの垂直方向後面４の中間部上にＸ−軸線方向に形成されており、また、空洞２８は水平方向に隣接したブロックの垂直方向前面３の突出部２７と正確に互いに噛み合うように構成されている。また、Ｚ−軸線と同じ方向に定義される、レンガの垂直方向後面４の空洞２８の開口の長さ３１は、凹幾何学的形状の空洞２８の最大径３２より小さい。
【００５３】
図１０及び図１２には、本発明の第２バージョンのさらに他の態様が示されている。本態様のレンガは、レンガの水平方向上面１上にＹ−軸線方向に位置する正の幾何学的形状の２つの突出部３３を特徴とする。突出部３３は、垂直方向に隣接したブロックの水平方向下面２の空洞３４（図１２）と正確に互いに噛み合うように構成されている。
【００５４】
突出部３３の正の幾何学的形状は、適当な幾何学的形状のいずれか一つとすれば良い。好ましい正の幾何学的形状を説明すると、図１０及び図１２に示すように、円筒形の凸幾何学的形状の２つの突出部３３がレンガの水平方向上面１上にＹ−軸線の方向に位置しており、この突出部３３は、垂直方向に隣接したブロックの水平方向下面２の空洞３４と正確に互いに噛み合うように構成されている。また、レンガの水平方向上面１上のそれぞれの突出部３３の基部の直径３５（図１２）は、突出部３３の円筒形部分の直径３６（図１２）と同一である。
【００５５】
図１２にはまた、本発明の第２バージョンのさらに他の態様が示されている。本態様のレンガは、水平方向下面２上にＹ−軸線の方向に位置する負の幾何学的形状の２つの空洞３４を特徴とする。この空洞は、垂直方向に隣接したブロックの水平方向上面１の突出部３３と正確に互いに噛み合うように構成されている。
【００５６】
空洞３４の負の幾何学的形状は、適当な幾何学的形状のいずれか一つとすれば良い。好ましい負の幾何学的形状を説明すると、図１２に示すように、円筒形の凹幾何学的形状の２つの空洞３４がレンガの水平方向下面２にＹ−軸線の方向に位置しており、この空洞３４は、垂直方向に隣接したブロックの水平方向上面１の突出部３３と正確に互いに噛み合うように構成されている。また、レンガの水平方向下面２上のそれぞれの空洞３４の開口３７の直径は、空洞３４の円筒形部分の直径３８と同一である。
【００５７】
図１０〜図１２に示す本発明の第２バージョンのさらに他の態様において、レンガは、レンガを完全に貫通する２つの円筒形ホール３９を特徴とする。Ｙ−軸線に対して１゜〜４５゜範囲の傾斜角４０（図１２）の方向へのホール３９の長さは、水平方向上面１の正の幾何学的形状の突出部３３の上縁４１から水平方向下面２の負の幾何学的形状の空洞３４の上縁４２までに定義される。ホール３９と壁の垂直方向に隣接したレンガの同一ホール３９は、壁の傾斜角と一致する方向に整列されることによって、壁の全体高さにわたって延びる連続した傾斜ホールを形成する。ホールは、壁の全体高さにわたって延びる連続したホールをロッドが挿通できるようにロッド径にぴったり合う直径を持つ。また、水平方向に及び垂直方向に隣接したレンガ間に抵抗性の相互噛合構成がなされることによって、複数本のロッドにより構成される骨組の導入を許容し、相当な剛性及び側面抵抗性、そして極めて均一でありながらも周期的な重力に対する相当な抵抗性を備えた構造をなし得る壁を建造することができる。
【００５８】
本発明のロッドとレンガシステムに関する前述したような２つのバージョンは、擁壁用の傾斜した壁の建設に好都合である。
【００５９】
図１７〜図１９には、本発明の第３バージョンによる壁の建設のためのレンガが三次元図で示されている。本発明の第３バージョンのレンガは、Ｘ−軸線及びＹ−軸線によって画定される２つの垂直方向側面４３，４４（図１７）を特徴とする。第１垂直方向側面４３（図１７）は凸面であり、第２垂直方向第２側面は凹面である。これら第１垂直面４３と第２垂直面４４は互いに平行である。
【００６０】
図１７及び図１８には、本発明の第３バージョンの他の態様が示されている。本態様のレンガは、レンガの垂直方向前面３（図１７）の中間部上にＸ−軸線方向に形成されている正の幾何学的形状の対称形突出部４５を特徴とする。突出部４５は、水平方向に隣接したブロックの垂直方向後面４の空洞４６と正確に互いに噛み合うように構成されている。
【００６１】
突出部４５の正の幾何学的形状は、適当な幾何学的形状のいずれか一つとすれば良い。好ましい正の幾何学的形状を説明すると、図１７及び図１８に示すように、丸い凸幾何学的形状の対称形突出部４５が、レンガの垂直方向前面３の中間部上にＸ−軸線の方向に形成されており、この突出部４５は、水平方向に隣接したブロックの垂直方向後面４の空洞４６と正確に互いに噛み合うように構成されている。また、Ｚ−軸線と同じ方向に定義される、レンガの垂直方向前面３上の突出部４５の基部４７（図１７）の幅は、凸幾何学的形状の突出部４５の最大径４８（図１７）より小さい。
【００６２】
図１７及び図１８に示すように、本発明の第３バージョンの他の態様のレンガは、レンガの垂直方向後面４の中間部上にＸ−軸線方向に形成されている負の幾何学的形状の空洞４６を特徴とする。空洞４６は、水平方向に隣接したブロックの垂直方向前面３の突出部４５と正確に互いに噛み合うように構成されている。
【００６３】
空洞４６の負の幾何学的形状は、適当な幾何学的形状のいずれか一つとすれば良い。好ましい負の幾何学的形状を説明すると、図１７及び図１８に示すように、凹幾何学的形状の対称形空洞４６が、レンガの垂直方向後面４の中間部上にＸ−軸線の方向に形成されており、これら空洞４６は、水平方向に隣接したブロックの垂直方向前面３の突出部４５と正確に互いに噛み合うように構成されている。また、Ｚ−軸線と同じ方向に定義される、レンガの垂直方向後面４上の空洞４６の開口の直径４９（図１７）は、凹幾何学的形状の空洞４６の最大径５０（図１７）より小さい。
【００６４】
図１７、図１８及び図２０には、本発明の第３バージョンのさらに他の態様が示されている。本態様のレンガは、Ｙ−軸線方向にレンガの水平方向上面１の中間部上に対称的に位置している正の幾何学的形状の２つの突出部５１を特徴とする。突出部５１は、垂直方向に隣接したブロックの水平方向下面２の空洞５２（図２０）と正確に互いに噛み合うように構成されている。
【００６５】
突出部５１の正の幾何学的形状は、適当な幾何学的形状のいずれか一つとすれば良い。好ましい正の幾何学的形状を説明すると、図１７、図１８及び図２０に示すように、円筒形の凸幾何学的形状の２つの突出部５１が、Ｙ−軸線の方向にレンガの水平方向上面１の中間部上に対称的に位置しており、これら突出部５１は垂直方向に隣接したブロックの水平方向下面２の空洞５２と正確に互いに噛み合うように構成されている。また、レンガの水平方向上面１上のそれぞれの突出部５１の基部の直径５３（図２０）は、突出部５１の円筒形部分５４の直径より大きいまたは等しい。
【００６６】
図２０にはまた、本発明の第３バージョンのさらに他の態様が示されている。本態様のレンガは、水平方向下面２の中間部上にＹ−軸線方向に位置する負の幾何学的形状の２つの空洞５２を特徴とする。空洞５２は、垂直方向に隣接したブロックの水平方向上面１の突出部５１と正確に互いに噛み合うように構成されている。
【００６７】
空洞５２の負の幾何学的形状は、適当な幾何学的形状のいずれか一つとすれば良い。好ましい負の幾何学的形状を説明すると、図２０に示すように、円筒形の凹幾何学的形状の２つの空洞５２が水平方向下面２の中間部上にＹ−軸線の方向に位置しており、空洞５２は、垂直方向に隣接したブロックの水平方向上面１の突出部５１と正確に互いに噛み合うように構成されている。また、レンガの水平方向下面２上のそれぞれの空洞の開口の直径５５は、空洞５２の円筒形部分の直径５６より大きいまたは等しい。
【００６８】
図１７〜図２０に示す本発明の第３バージョンのさらに他の態様によるレンガは、レンガを完全に貫通する２つの垂直方向円筒形ホール５７を特徴とする。Ｙ−軸線方向へのホール５７の長さは、水平方向上面１の正の幾何学的形状の突出部５１の上縁５８（図２０）から水平方向下面２の負の幾何学的形状の空洞５２の上縁５９（図２０）までに定義される。ホール５７と壁の垂直方向に隣接したレンガの同一ホール５７は、壁の垂直軸線方向に整列されることによって、壁の全体高さにわたって延びる連続した垂直方向ホールを形成することとなる。水平方向に及び垂直方向に隣接したレンガ間に抵抗性の相互噛合構成がなされることによって、相当な剛性及び側面抵抗性、そして極めて均一でありながらも周期的な重力に対する相当な抵抗性を備えた壁を建造することができる。
【００６９】
図２０に示す本発明の第３バージョンのさらに他の態様によるレンガは、レンガを完全に貫通する２つの垂直方向の円筒形ホール５７を特徴とする。Ｙ−軸線方向へのホール５７の長さは、水平方向上面１の正の幾何学的形状の突出部５１の上縁５８から水平方向下面２の負の幾何学的形状の空洞５２の上縁５９までに定義される。ホール５７と壁の垂直方向に隣接したレンガの同一ホール５７は、壁の垂直軸線方向に整列されることによって、壁の全体高さにわたって延びる連続した垂直方向ホールを形成することとなる。ホールは、壁の全体高さにわたって延びる連続したホールをロッドが挿通できるできるように同一ロッドの直径にぴったり合う直径を有する。また、水平方向に及び垂直方向に隣接したレンガ間に抵抗性の相互噛合構成がなされることによって、複数本の垂直方向ロッドにより構成される骨組の導入を許容する壁の建設を達成でき、この壁は相当な剛性及び側面抵抗性、そして極めて均一でありながらも周期的な重力に対する相当な抵抗性を備えた構造となる。
【００７０】
図１８及び図１９には本発明の第３バージョンのさらに他の態様が示されている。本態様のレンガは、２つの追加ホール６０，６１を特徴とする。これら２つの追加ホールのうち第１ホール６０はレンガを完全に貫通する円筒形ホールで、Ｙ−軸線の方向への第１追加ホール６０の長さは、レンガの水平方向上面１からレンガの水平方向下面２までに定義される。第１追加ホール６０は、水平方向上面１の突出部５１から水平方向下面２の空洞５２まで延びる２つのホール５７との間に並んで位置している。２つの追加ホールのうち第２ホール６１は、Ｙ−軸線の方向に垂直方向前面３の突出部４５を完全に貫通する垂直方向円筒形ホールである。この第２追加ホール６１の長さは、垂直方向前面３の突出部４５の水平方向上面１の中心から垂直方向前面３の突出部４５の水平方向下面２の中心までに定義される。第１追加ホール６０と第２追加ホール６１は同径となっており、垂直方向に隣接したレンガの第１追加ホール６０と第２追加ホール６１は壁の垂直軸線の方向に整列され、壁の全体高さにわたって延びる連続した垂直方向ホールを形成する。これら２つの追加ホールは、壁の全体高さにわたって延びる連続したホールをロッドが挿通できるように同一ロッドの直径にぴったり合う直径とする。水平方向に及び垂直方向に隣接したレンガ間に抵抗性の相互噛合構成がなされることによって、複数本の垂直方向ロッドにより構成される骨組の導入を許容する壁を建造することができ、壁は相当な剛性及び側面抵抗性、そして極めて均一でありながらも周期的な重力に対する相当な抵抗性を備えた構造となる。
【００７１】
図１７及び図１８に示す本発明の第３バージョンのさらに他の態様によるレンガは、垂直方向前面３のＹ−軸線方向への両エッジ上の９０゜直角チャンネル６２；垂直方向後面４のＹ−軸線方向への両エッジ上の９０゜直角チャンネル６３；水平方向上面１のＸ−軸線方向への両エッジ上の９０゜直角チャンネル６４；そして、水平方向下面２のＸ−軸線方向への両エッジ上の９０゜直角チャンネル６５を特徴とする。
【００７２】
本発明の第３バージョンのレンガは、曲線状壁の建設に好都合である。
【００７３】
本発明のロッドとレンガシステムの長所の一つとして、前述した３つの好ましいバージョンの他にも、本発明はまた同径を有するただ１対のホールを備えたレンガを含む。この直径はロッドの直径とぴったり合わなければならない。ただ１対のホールの場合には、ホールが水平方向上面上の突出部から水平方向下面上の空洞まで延びる１対のホールに似ていることができ、または、一つのホールは水平方向上面の中間部から水平方向下面の中間部まで延び、他の一つのホールは垂直方向前面の突出部に沿って水平方向上面から水平方向下面まで延びる１対のホールと似ていることができる。
【００７４】
前述した内容が本発明の好ましい実施例を見せてはいるが、後述する特許請求の範囲に含まれた基本思想及び原理を逸脱しない限度内で個々の構成要素の形態及び配列と関連してさらなる変更がなされることができる。
【図１】
2010501748.tif 000003
【図２】
2010501748.tif 000004
【図３】
2010501748.tif 000005
【図４】
2010501748.tif 000006
【図５】
2010501748.tif 000007
【図６】
2010501748.tif 000008
【図７】
2010501748.tif 000009
【図７Ａ】
2010501748.tif 000010
【図８】
2010501748.tif 000011
【図９】
2010501748.tif 000012
【図１０】
2010501748.tif 000013
【図１１】
2010501748.tif 000014
【図１２】
2010501748.tif 000015
【図１３】
2010501748.tif 000016
【図１４】
2010501748.tif 000017
【図１５】
2010501748.tif 000018
【図１６】
2010501748.tif 000019
【図１７】
2010501748.tif 000020
【図１８】
2010501748.tif 000021
【図１９】
2010501748.tif 000022
【図２０】
2010501748.tif 000023
【国際調査報告】
2010501748.tif 000024
2010501748.tif 000025